(57)【特許請求の範囲】
【請求項１】
駆動源であるモータと、該モータによって回転されるファンと、該ファンを収容するファンケースと、該ファンケースに設けた吸込口とを備えた集塵機おいて、粉塵の通過経路に、互いに向かい合うように突出する複数の平行なリブを設けると共に、該リブの軸方向長さに応じて前記リブの高さが高くなる傾斜面を形成し、更に対向する位置に設けられている前記リブの最頂部が前記リブの軸方向にずれるよう形成することを特徴とする集塵機。
【請求項２】
対向する位置にそれぞれ設けた前記リブの最頂部間に粉塵の通過する空間を設けることを特徴とする請求項１記載の集塵機。
【請求項３】
前記空間を形成するため前記リブの軸方向長さが異なっていることを特徴とする請求項２記載の集塵機。
【請求項４】
駆動源であるモータと、該モータによって回転されるファンと、該ファンを収容するファンケースと、該ファンケースに設けた吸込口と、該吸込口内に設けたリブとを備えた集塵機おいて、前記吸込口の内面から互いに向かい合うように突出する複数の平行なリブを設けると共に、該リブの軸方向長さに応じて前記リブの高さが高くなる傾斜面が形成し、更に対向する位置に設けられている前記リブの最頂部が前記リブの軸方向にずれるよう形成することを特徴とする集塵機。
【請求項５】
前記吸込口の内面の上下位置に設けた前記リブの最頂部間に粉塵の通過する空間を設けることを特徴とする請求項４記載の集塵機。
【請求項６】
前記空間を形成すため前記リブの軸方向長さが異なっていることを特徴とする請求項５記載の集塵機。
【請求項７】
駆動源であるモータと、該モータによって回転されるファンと、該ファンを収容するファンケースと、該ファンケースに設けた吸込口とを備えた集塵機おいて、前記吸込口に集塵ホースを接続するための弾性体から成る集塵アダプタを設け、該集塵アダプタの内面には互いに向かい合うように突出する複数の平行なリブを設けると共に、該リブの軸方向長さに応じて前記リブの高さが高くなる傾斜面が形成し、更に対向する位置に設けられている前記リブの最頂部が前記リブの軸方向にずれるよう形成することを特徴とする集塵機。
【請求項８】
前記吸込口の内面の上下位置に設けた前記リブの最頂部間に粉塵の通過する空間を設けることを特徴とする請求項７記載の集塵機。
【請求項９】
前記空間を形成すため前記リブの軸方向長さが異なっていることを特徴とする請求項８記載の集塵機。
【請求項１０】
前記集塵アダプタは、ゴムにより形成されており、前記リブの周辺が弾性変形可能であることを特徴とする請求項７または請求項８記載の集塵機。
【発明の詳細な説明】
【０００１】
【発明の属する技術分野】
本発明は、木材や石膏ボードなどの建築材料を切断する際に発生する粉塵を回収する用途で広く使用されている集塵機に関するものである。
【０００２】
【従来の技術】
従来の集塵機を図６を用いて説明する。図６は吸込口３を有する集塵機を示す正面図であり、一般に木材や石膏ボードなどの建築材料を切断する際に発生する粉塵を回収するために使用されている。この集塵機には駆動装置（モータ）により回転されるファンが内蔵されており、ファン作用により吸引力を得ることで、発生した粉塵を吸込口３に着脱自在に係止されているホース１０を介してファンケース５内部に空気と共に搬送している。そして、ファンケース５内部に搬送された粉塵は、ファンケース５の吐出口４に着脱自在なダストバッグ７内に吐出されている。吐出された粉塵は、ダストバッグ７の濾過機能により塵と空気に分離され、塵のみがダストバッグ７内に捕集される構成になっている。
【０００３】
【発明が解決しようとする課題】
上述した集塵機の吸込口３には、吸込んだ木片などによりファンが破損してしまうことを防ぐために、或いはホース１０を外した際に使用者の指がファンに接触してしまうことを防ぐために、図６に示すようなリブ１２ａが設けられている。吸込口３に放射状に設けられているリブ１２ａの高さはそれぞれ異なっており、これらのリブ１２ａを互いに組合せて設けられている。上記リブ１２ａにより寸法ａを確保しようとすると、リブ１２ａの隣接寸法(０．５ａ)が狭くなるため、かんな屑や石膏ボード切断時の大きな帯状の切断片がリブ１２ａに引っ掛かってしまい、ダストバッグ７内にうまく捕集できず、吸込口３が詰まってしまい集塵機能が低下してしまうという問題があった。
【０００４】
また、他のリブ形状として図７に示すように平行リブ１２ｂにより上下、左右の間隔をa寸法にすると、上述した帯状の切断片は回収できても対角寸法がa寸法の約１．５倍になってしまうため、使用者の指がファンに接触してしまうことを防ぐリブとしての機能が損なわれてしまうという問題があった。
【０００５】
本発明の目的は、上記問題を解消し、吸込口のリブ形状を木片などの異物進入及び使用者の指が入らない間隔(a)に構成すると共に、かんな屑や石膏ボードの帯状の切断片を連続的に吸込んでも詰まりの生じない集塵機を提供することである。
【０００６】
【課題を解決するための手段】
上記目的は、駆動源であるモータと、モータによって回転されるファンと、ファンを収容するファンケースと、ファンケースに設けた吸込口とを備えた集塵機おいて、粉塵の通過経路に、互いに向かい合うように突出する複数の平行なリブを設けると共に、リブの軸方向長さに応じてリブの高さが高くなる傾斜面が形成し、更に対向する位置に設けられているリブの最頂部がリブの軸方向にずれるよう形成することにより達成される。
【０００７】
また、上記目的は、駆動源であるモータと、モータによって回転されるファンと、ファンを収容するファンケースと、ファンケースに設けた吸込口と、吸込口内に設けたリブとを備えた集塵機おいて、吸込口の内面から互いに向かい合うように突出する複数の平行なリブを設けると共に、リブの軸方向長さに応じてリブの高さが高くなる傾斜面が形成し、更に対向する位置に設けられているリブの最頂部がリブの軸方向にずれるよう形成することにより達成される。
【０００８】
また、上記目的は、駆動源であるモータと、モータによって回転されるファンと、ファンを収容するファンケースと、ファンケースに設けた吸込口とを備えた集塵機おいて、吸込口に集塵ホースを接続するための弾性体から成る集塵アダプタを設け、集塵アダプタの内面には互いに向かい合うように突出する複数の平行なリブを設けると共に、リブの軸方向長さに応じてリブの高さが高くなる傾斜面が形成し、更に対向する位置に設けられているリブの最頂部がリブの軸方向にずれるよう形成することにより達成される。
【０００９】
即ち、吸込口の中央部は風速が速いことに着目し、中央部に集中する粉塵及び帯状の切断片が通過できる間隔を確保するため、リブ間隔を一定にするため放射状リブから平行リブにすると共に、平行リブで中心部を切り離し上下のリブをファンの軸方向にずらすことにより達成される。
【００１０】
【発明の実施の形態】
本実施例における集塵機を図１〜図５を用いて説明する。図１は本実施例における集塵機を示す正面図、図２は図１のＡ−Ａ線断面図、図３は本実施例における集塵機を示す平面図、図４は図３のＢ−Ｂ線断面図、図５は本実施例におけるリブの応用例を示す縦断側面図である。
【００１１】
図１〜図４において、木工用の集塵機は、機体に内臓されたモータ１の回転軸にファン２を固着し、このファン２をファンケース５で覆い、このファンケース５の前後に吸込口３，吐出口４が設けられている。吸込口３にはノズル８を固着し、ノズル８の突起９にホース１０を着脱可能に係止し、吐出口４には溝部６を設け、ダストバッグ７を着脱自在に係止している。
【００１２】
粉塵や帯状の切断片１１はファン２の回転により発生する吸込み力により、吸込口３に接続したホース１０を通過して、吸込口３からファンケース５の内部へと図３の矢印ように搬送される。ファンケース５内に搬送された粉塵と切断片１１は、ファン２の遠心力により、吐出口４からダストバック７の内部に図４の矢印のように吐出される。吐出された粉塵と切断片１１は、ダストバッグ７で塵と空気に分離され、塵はダストバック７に捕集され、空気は大気中に放出される。
【００１３】
吸込口３には、木片などの異物がファンケース５内に搬送されてファン２が破損しないように、また作業終了後や点検の際に吸込口３からホース１０を取外した際に、作業者の指などが容易にファンケース５内に入らない間隔（ａ）を持った進入防止用のリブ１２を設けている。このリブ１２は平行な縦リブ１２とし、中心部を切り離して設けており、且つ切り離したリブ１２はファン２の軸方向に互いにずれる位置に設けられているため、上下のリブ１２間に空間（通路）が形成される。即ち、リブ１２の軸方向長さに応じてリブ１２の高さが高くなる傾斜面を形成し、更に対向する位置に設けられているリブ１２の最頂部１２ｃがリブ１２の軸方向にずれるように形成している。また、空間を形成するためにリブ１２の軸方向長さが異なっており、これらのリブ１２を組合せて形成している。
【００１４】
よってこのような構成により、吸込口のリブ形状を木片などの異物進入及び使用者の指が入らない間隔に構成でき、且つかんな屑や石膏ボードの帯状の切断片を連続的に吸込んでも詰まりの生じない集塵機を提供することができる。
【００１５】
また、図５は実施例におけるリブの応用例を示しており、吸込口３内の設けたリブ１２をノズル８内の略中央部に設け、アダプタ（ノズル）８をゴムなどの弾性材で形成したものであり、このような構成にすると、リブ１２に石膏ボードなどが堆積しても使用者の手でアダプタ８の中央部（リブ付近）を弾性変形させるだけでホース１０を外すことなく容易に粉塵を除去することができ作業性の向上が図れるものである。
【００１６】
【発明の効果】
本発明によれば、平行リブにすることにより、リブの間隔を一定にでき、また上下リブの位置をずらすことにより通路を確保することができるため、
吸込口のリブ形状を木片などの異物進入及び使用者の指が入らない間隔に構成すると共に、かんな屑や石膏ボードの帯状の切断片を連続的に吸込んでも詰まりの生じない集塵機を提供することができる。
【図面の簡単な説明】
【図１】  本発明になる集塵機を示す正面図である。
【図２】  図１のＡ−Ａ線断面図である。
【図３】  本発明になる集塵機を示す平面図である。
【図４】  図３のＢ−Ｂ線断面図である。
【図５】  本発明になるリブの応用例を示す縦断側面図である。
【図６】  従来における放射状リブを有する吸込口３を備えた集塵機を示す正面図である。
【図７】  従来における平行リブを有する吸込口３を示す断面図である。
【符号の説明】
１はモータ、２はファン、３は吸込口、４は吐出口、５はファンケース、７はダストバッグ、８はアダプタ、１２はリブである。
【図１】
0004006572.tif 000002
【図２】
0004006572.tif 000003
【図３】
0004006572.tif 000004
【図４】
0004006572.tif 000005
【図５】
0004006572.tif 000006
【図６】
0004006572.tif 000007
【図７】
0004006572.tif 000008